(57)【要約】【課題】本発明は、簡易な構造で、複数の故人の遺骨を個別領域毎に収納することが可能であると共に、使用者の要望に応じて内部に収納する遺骨の数を適宜調整できる骨壺を提供する。【解決手段】本発明に係る骨壺１は、複数の遺骨収納体１１と、内部に前記複数の遺骨収納体１１の全てを収容する外装体１２と、これらを被覆可能な蓋体１３と、を含み、前記遺骨収納体１１の各々は、個体毎の遺骨を個別に収納可能であると共に、前記外装体１２内に取出可能な状態で配置される。【選択図】  図１
2018089126.tif 000002
【特許請求の範囲】
【請求項１】
開口上部を有し、内部に遺骨を収納するための空域を備える複数の遺骨収納体と、
開口上部を有し、内部に前記複数の遺骨収納体の全てを収容するための空域を備える外装体と、
前記遺骨収納体及び前記外装体の前記開口上部の一方又は双方を被覆可能な少なくとも一つの蓋体と、
を含み、
前記遺骨収納体の各々は、その開口上部が上方を向いた状態で前記外装体の前記空域内に収容されると共に、個体毎の遺骨を個別に収納可能であり、
前記遺骨収納体の少なくとも一つは、前記外装体の前記空域内に収容される際、取出可能な状態で配置される、
骨壺。
【請求項２】
前記外装体の前記空域内に収容された前記遺骨収納体の各々は、他の遺骨収納体のうちの少なくとも一つと隣接するよう配置され、
前記隣接配置された複数の遺骨収納体によって、遺骨収納ユニットが形成される、
請求項１に記載の骨壺。
【請求項３】
前記遺骨収納ユニットを形成する前記遺骨収納体の各々は、柱型の形状を有すると共に、前記遺骨収納ユニットを形成する他の全ての遺骨収納体と隣接するよう配置され、
前記各遺骨収納体の水平断面は、扇形であり、
前記各遺骨収納体は、水平断面視において、前記扇形の中心角部分が前記遺骨収納ユニットの中央側を向くと共に、前記扇形の弧部分が前記遺骨収納ユニットの外側を向くよう配置され、
前記遺骨収納ユニットの輪郭形状は、水平断面視において略円形となる、
請求項２に記載の骨壺。
【請求項４】
前記遺骨収納ユニットが、前記外装体の前記空域内に収容される際、
前記遺骨収納ユニットの外側面と、当該外装体の内側面とが、各々接触し、
前記遺骨収納ユニットが、前記外装体の前記空域に嵌合する、
請求項２又は３に記載の骨壺。
【請求項５】
合同納骨室に納められる遺骨を収納するための、
請求項１から４のいずれか一項に記載の骨壺。
【発明の詳細な説明】
【技術分野】
【０００１】
本発明は、内部に遺骨を収納する骨壺に関する。
【背景技術】
【０００２】
近年、人口の都市集中化や少子高齢化といった社会環境の変化によって、例えば、自身の死後に血縁者で墓の管理ができない、あるいは承継者がいないなど、墓や墓地区画を個人所有することができない状況が増えている。そのため、主に墓地又は霊園の運営者（例えば、宗教法人や地方自治体など）によって、故人の遺骨を永代的に保管管理する（供養を含む場合もある。）いわゆる永代墓への需要が、増加している。
【０００３】
永代墓は、墓の内部構造、納骨室への骨壺収納形態、又は合祀・合葬のタイミング等により、幾つかのタイプに分類される。その中でも、不特定多数の故人の遺骨に係る骨壺を、当初から纏めて一の合同納骨室に収納するタイプや、一の骨壺を個別の納骨室に納めた後、所定期間の経過を条件に個別納骨室に納められている各骨壺を合同納骨室に移送するタイプなどが一般的である。
【０００４】
上記のように、永代墓に収納される骨壺（又は骨壺から取り出された遺骨の場合もある。）は、最終的に合同納骨室などの骨壺・遺骨収集所（以下、これを単に「合同納骨室」という場合がある。）に集められることがほとんどである。しかしながら、合同納骨室内の骨壺の配置ルールは、特段存在していない。
【０００５】
すなわち、通常の場合において骨壺は、合同納骨室内に収納される際、空き領域に順次ランダムに配置される。従って、配偶者及び家族等の血縁者や友人等といった生前親しい関係にあった者（以下、これらを総称して「近親者」という場合がある。）同士の遺骨（骨壺）が、隣り合って配置されるなど、位置的に近しい状態となることは極めて少ない。
【０００６】
当該事項は、生前の故人又はその遺族にとって、永代墓の使用に対する心理的抵抗となり得る。そこで、永代墓の使用における上記抵抗感を取り除く又は和らげるため、例えば、複数の故人の遺骨を同時に収納可能な骨壺のように、複数の近親者の遺骨群を近接配置する何らかの手段が求められている。
【０００７】
ここで、複数の故人の遺骨を一体収納可能な骨壺として、例えば、下記特許文献１の技術が開示されている。特許文献１に記載の技術は、上部に開口部を有する壺本体及び開口部を閉じる蓋体からなる骨壺であって、前記壺本体に、内部を二つに区画する仕切板を抜き差し自在に配した骨壺である。特許文献１に記載の技術によれば、仕切板によって隔てられた各区画の夫々に、例えば夫婦双方の遺骨を納めることが可能である。それに加え、仕切板が抜き差し自在に配されているため、双方の遺骨が各区画に納められた後、仕切板を抜くことが可能である。従って、最終的には、夫婦双方の遺骨を一の骨壺の同室（同区画）内に収めることができる。
【０００８】
また、内部領域が複数に分割された構造を有する骨壺として、下記特許文献２に記載の技術が開示されている。特許文献２に記載の技術は、容器本体と、該容器本体の上部開口を閉じる蓋部材とからなる骨壺であって、容器本体の内部が、５つの領域に区切られる構造を有する。
【先行技術文献】
【特許文献】
【０００９】
【特許文献１】特許第３０５９１４１号公報
【特許文献２】特許第３１４８８７７号公報
【発明の概要】
【発明が解決しようとする課題】
【００１０】
しかしながら、特許文献１に記載の技術は、骨壺内の領域を二つ（又はそれ以上）に区画する仕切板を配置する必要があるため、骨壺の両側部内面から底部内面にかけて連続するガイド壁を設けなければならず、内部構造が複雑で生産コストが嵩むという課題を有する。更に、上記したように、仕切板は、夫婦双方の遺骨が別々に各区画内に納められた後に分離されるため、分離後の仕切板の廃棄や再利用のための保管等に関して別途処理が必要となる。
【００１１】
また、特許文献２に記載の技術において、容器本体の内部を５つの領域に区切ることの主な目的は、一故人の頭、首、胸、手、足の五体の骨を各々分離して収納することである。従って、区切られた領域毎に、一故人の遺骨の全てを収納することは想定されていない。特許文献２に記載の技術において、仮に、一故人の遺骨を上記各区切領域に納めようとしても、全てを納めるに足りるスペースが確保されていない可能性が十分に考えられる。
【００１２】
更に、一の骨壺に、複数の近親者の遺骨を一体収納する場合において、収納を希望する遺骨の数は、使用者の諸状況によって異なる（例えば、一の骨壺内に、夫婦の遺骨のみを納めたい、あるいは夫婦のみならず子供やペットの遺骨も含めて納めたいなどの各種要望によって、収納希望遺骨数が異なる。）。それに対して、特許文献２に記載の技術では、上記のように区切られた骨壺内の領域数は５つであり、しかも仕切り板も固定されている。そのため、骨壺内の領域数を柔軟に変更することができず、使用者毎に異なる収納遺骨数の希望・要望に十分応えることができない。
【００１３】
それに加えて、特許文献２に記載の骨壺は、生分解性材料という特殊素材を用いて形成されるため、生産コストが過度に嵩むという課題を有する。また、特許文献２に記載の骨壺を用いる場合、相応の時間経過後に骨壺自体が分解するため、それまで区分収納されていた複数の故人の遺骨が混ざり合う状態となってしまう。当然、混在された遺骨群から、各故人の遺骨を特定することは極めて困難であり、以後、故人毎に遺骨を取り出すことができなくなる。
【００１４】
上記課題に鑑み、本発明は、簡易な構造であると共に、複数の故人又はペット（以下、これを総称して「個体」と言う場合がある。）の遺骨を個別領域毎に収納することが可能な骨壺の提供を目的とする。また、本発明は、少ないスペースに多くの個体の遺骨を収納することが可能な骨壺の提供を目的とする。更に、本発明は、使用者の希望・要望に応じて内部に収納する遺骨の数を適宜調整可能な骨壺の提供を目的とする。
【課題を解決するための手段】
【００１５】
本発明に係る骨壺は、
開口上部を有し、内部に遺骨を収納するための空域を備える複数の遺骨収納体と、
開口上部を有し、内部に前記複数の遺骨収納体の全てを収容するための空域を備える外装体と、
前記遺骨収納体及び前記外装体の前記開口上部の一方又は双方を被覆可能な少なくとも一つの蓋体と、
を含み、
前記遺骨収納体の各々は、その開口上部が上方を向いた状態で前記外装体の前記空域内に収容されると共に、個体毎の遺骨を個別に収納可能であり、
前記遺骨収納体の少なくとも一つは、前記外装体の前記空域内に収容される際、取出可能な状態で配置されることを特徴とする。
【００１６】
また、本発明に係る骨壺は、
前記外装体の前記空域内に収容された前記遺骨収納体の各々が、他の遺骨収納体のうちの少なくとも一つと隣接するよう配置され、
前記隣接配置された複数の遺骨収納体によって、遺骨収納ユニットが形成されることが好ましい。
【００１７】
更に、本発明に係る骨壺は、
前記遺骨収納ユニットを形成する前記遺骨収納体の各々が、柱型の形状を有すると共に、前記遺骨収納ユニットを形成する他の全ての遺骨収納体と隣接するよう配置され、
前記各遺骨収納体の水平断面は、扇形であり、
前記各遺骨収納体は、水平断面視において、前記扇形の中心角部分が前記遺骨収納ユニットの中央側を向くと共に、前記扇形の弧部分が前記遺骨収納ユニットの外側を向くよう配置され、
前記遺骨収納ユニットの輪郭形状は、水平断面視において略円形となることが好ましい。
【００１８】
また、本発明に係る骨壺は、
前記遺骨収納ユニットが、前記外装体の前記空域内に収容される際、
前記遺骨収納ユニットの外側面と、当該外装体の内側面とが、各々接触し、
前記遺骨収納ユニットが、前記外装体の前記空域に嵌合することが好ましい。
【００１９】
また、本発明に係る骨壺は、
例えば永代墓の合同納骨室に納められる遺骨を収納するために用いられることが好ましい。
【発明の効果】
【００２０】
本発明によれば、複数の遺骨収納体の全てを外装体内に収容する構成であるため、簡易な構造であると共に、複数の故人（個体）の遺骨を個別領域毎（各遺骨収納体内）に収納することが可能である。従って、本発明は、生産コストを低減できると共に、骨壺内に納められた各故人（個体）の遺骨の混在を防止できる。
【００２１】
また、本発明によれば、遺骨収納体の各々を、その開口上部が上方を向いた状態で外装体内に収容することができる。すなわち、遺骨収納体の各々を起立した状態で外装体内に収容することができる。そのため、外装体の空域内という限られた領域内に、デットスペースを極力少なくした状態で複数の遺骨収納体を効率的に収容することができる。その結果、本発明は、省スペース化に寄与し、且つ多くの個体の遺骨を収納することができる。
【００２２】
更に、本発明によれば、遺骨収納体の少なくとも一つが、前記外装体内に取出可能な状態で収容されるため、収容遺骨数を骨壺毎に適宜調整可能である。また、遺骨収納体を取り出した後の外装体内のスペースに、例えば、供養用物品や遺品などを収容することができる。従って、本発明によれば、故人やその遺族の背景事情及び趣味・嗜好等に対して、柔軟に対応することが可能である。
【図面の簡単な説明】
【００２３】
【図１】本実施形態に係る骨壺の外観斜視図。
【図２】本実施形態の骨壺に含まれる遺骨収納体の外観斜視図。
【図３】本実施形態に係る骨壺の水平断面図。
【図４】本実施形態に係る骨壺の他の外観斜視図。
【発明を実施するための形態】
【００２４】
以下、図面を参照して本発明の望ましい実施形態を詳細に説明する。但し、本発明は多くの異なる態様で実施することが可能であり、以下に示す実施の形態の記載内容に限定して解釈されるものではない。
【００２５】
本実施形態に係る骨壺１の構成について、図１から図４を用いて説明する。図１は、本発明の一実施形態に係る骨壺１の外観斜視図である。より詳しくは、図１（ａ）は、蓋体１３によって上方が被覆された遺骨収納体１１を含む骨壺１の外観斜視図であり、図１（ｂ）は、蓋体１３が取り外された状態の遺骨収納体１１を含む骨壺１の外観斜視図である。また、図２は、上記遺骨収納体１１（蓋体１３が取り外された状態）の外観斜視図である。更に、図３は、本実施形態に係る骨壺１の水平断面図である。また、図４は、蓋体１３’によって上方が被覆された外装体１２を含む骨壺１の外観斜視図である。
【００２６】
初めに、本実施形態に係る骨壺１の各構成要素の詳細について説明する。本実施形態に係る骨壺１は、遺骨収納体１１、外装体１２、遺骨収納体１１の上方を被覆する蓋体１３を含む。ここで、骨壺１は、複数の遺骨収納体１１を備える。図１（ａ）及び（ｂ）に示されるように、本実施形態における遺骨収納体１１の数は４つである（遺骨収納体１１ａ，１１ｂ，１１ｃ，１１ｄ）。ただし、遺骨収納体１１の数は、これに限られるものではない。
【００２７】
まず、複数（本実施形態においては４つ）の遺骨収納体１１のうちの遺骨収納体１１ａについて、図２を参照して説明する。本実施形態における遺骨収納体１１ａは、遺骨を収納するために設けられる有底の容器であり、開口上部１１２ａを有する本体１１１ａと、本体１１１ａの内部に形成されると共に遺骨を収納するための空域１１３ａを含む。ここで、空域１１３ａは、一故人（個体）の遺骨全てを収納可能な領域（容積）を有することが好ましい。
【００２８】
本実施形態における遺骨収納体１１ａは、柱型の形状を有する。本実施形態のように、遺骨収納体１１ａを柱型とすれば、底面積を変化させず、高さ寸法のみを大きくすることで容積（空域１１３ａの体積）を増やすことができる。これにより、遺骨収納体１１ａにおいて、省スペース化を図りながら、一故人（個体）の遺骨全てを収納可能な領域を確保することができる。ただし、遺骨収納体１１ａの形状は、これに限られるものではない。
【００２９】
後述するように、複数の遺骨収納体１１が外装体１２内に収容されることから、遺骨収納体１１ａの断面形状は扇形であることが、収容効率の観点において好ましい（図２参照）。また、本実施形態において、扇中心角は９０°である。ただし、遺骨収納体１１ａの断面形状は、これに限られるものではなく、例えば、円形、楕円形、矩形等の他の形状であってもよいし、遺骨収納体１１ａの断面が扇形であったとしても、その中心角は９０°に限られるものではない。
【００３０】
遺骨収納体１１ａの素材は、成形が容易であると共に低コスト・低重量化が可能なプラスチック（樹脂）であることが好ましい。ただし、これに限定されるものではなく、金属やセラミックス等、他の素材であってもよい。
【００３１】
次に、本実施形態における他の遺骨収納体１１ｂ，１１ｃ，１１ｄについて説明する。遺骨収納体１１ｂ，１１ｃ，１１ｄも、図２に示される遺骨収納体１１ａと同様の形態を備える。すなわち、遺骨収納体１１ａと同様、遺骨収納体１１ｂ，１１ｃ，１１ｄは、遺骨を収納するために設けられる有底の容器であり、開口上部１１２ｂ，１１２ｃ，１１２ｄを有する本体１１１ｂ，１１１ｃ，１１１ｄと、各本体に形成される遺骨を収納するための空域１１３ｂ，１１３ｃ，１１３ｄを夫々含む。個々の空域１１３ｂ，１１３ｃ，１１３ｄは、一故人（個体）の遺骨全てを収納可能な領域（容積）を有することが好ましい。
【００３２】
図１及び図２に示されるように、本実施形態における遺骨収納体１１ｂ，１１ｃ，１１ｄは、遺骨収納体１１ａと同様に柱型の形状を有する。また、それらの断面形状は扇形であり、その中心角は９０°である。ただし、遺骨収納体１１ｂ，１１ｃ，１１ｄの全体形状及び断面形状は、これに限られるものではない。また、断面が扇形であったとしても、その中心角は９０°に限られるものではない。更に、遺骨収納体１１ａを含め、遺骨収納体１１ｂ，１１ｃ，１１ｄの扇中心角は、全て同じでなくてもよい。後述するように、各遺骨収納体１１の扇中心角は、故人（個体）毎に異なる遺骨の量や大きさ等によって適宜変更可能である。
【００３３】
遺骨収納体１１ｂ，１１ｃ，１１ｄの素材は、遺骨収納体１１ａと同様、プラスチック（樹脂）であることが好ましいが、特に限定されるものではい。また、遺骨収納体１１ｂ，１１ｃ，１１ｄのもたらす作用・効果も、遺骨収納体１１ａと同様である。
【００３４】
次に、本実施形態における外装体１２は、有底の容器であり、開口上部１２２を有する本体１２１と、本体１２１の内部に形成される空域１２３を含む。図１及び図３に示されるように、上記した複数の遺骨収納体１１（本実施形態においては、遺骨収納体１１ａ，１１ｂ，１１ｃ，１１ｄ）の全てが、空域１２３内に収容される。ただし、外装体１２の形状は、複数の遺骨収納体１１の全てを収容可能であれば、これに限られない。
【００３５】
外装体１２の素材は、特に限定されるものではない。ただし、外装体１２は、図１及び図３に示されるように、骨壺１の最外部に配置されることから、見栄え良く、ある程度強度のある素材であることが好ましい。そのため、一般的な骨壺と同様にセラミックス製であることが好ましい。
【００３６】
次に、本実施形態における蓋体１３ａは、図１（ａ）に示されるように、開口上部１１２ａを被覆するために設けられる。蓋体１３ａは、任意の係合手段によって遺骨収納体１１ａに係る本体１１１ａの上縁位置に取り付けられる。このとき、蓋体１３ａは、本体１１１ａから取り外し可能な状態で取り付けられてもよい。
【００３７】
また、図１（ａ）に示されるように、本実施形態における蓋体１３ｂ，１３ｃ，１３ｄも、対応する遺骨収納体１１の開口上部１１２を被覆する（蓋体１３ｂであれば、遺骨収納体１１ｂの開口上部１１２ｂを被覆し，蓋体１３ｃであれば、遺骨収納体１１ｃの開口上部１１２ｃを被覆し，蓋体１３ｄであれば、遺骨収納体１１ｄの開口上部１１２ｄを被覆する。）。本実施形態において、蓋体１３ｂ，１３ｃ，１３ｄの構成は、上記した蓋体１３ａと同様である。
【００３８】
なお、図４に示されるように、本実施形態に係る骨壺１は、遺骨収納体１１の開口上部１１２を被覆する蓋体１３に加えて、外装体１２の開口上部１２２を被覆する別の蓋体１３’を備えていてもよい。蓋体１３’は、任意の係合手段によって外装体１２に係る本体１２１の上縁位置に取り付けられる。
【００３９】
このとき、遺骨収納体１１には蓋体１３を設けず、外装体１２のみに蓋体１３’を設けるようにしてもよい。すなわち、外装体１２に設けられた蓋体１３’が、外装体１２の開口上部１２２の被覆と共に、遺骨収納体１１の開口上部１１２の被覆を兼ねるようにしてもよい。後述するように、遺骨収納体１１は、開口上部１１２を上方に向けた状態で外装体１２に収容される。そのため、外装体１２の上部に取り付けられた蓋体１３’によって、遺骨収納体１１の開口上部１１２も被覆可能であるためである。
【００４０】
次に、上記した各構成要素が組み上がった後の本実施形態に係る骨壺１について説明する。上記のように、本実施形態における遺骨収納体１１ａは、外装体１２の空域１２３内に収容される。このとき、遺骨収納体１１ａの底部は外装体１２の底側を向くと共に、開口上部１１２ａは上方を向く（図１（ｂ）参照）。すなわち、遺骨収納体１１ａは、起立した状態となって、外装体１２内（空域１２３）に収容される。このとき、遺骨収納体１１ａは、外装体１２から取出可能な状態で配置されている。
【００４１】
また、図１に示されるように、本実施形態における他の遺骨収納体１１ｂ，１１ｃ，１１ｄも、遺骨収納体１１ａと同様の状態で外装体１２内に収容される。更に、遺骨収納体１１ｂ，１１ｃ，１１ｄは、遺骨収納体１１ａと同様に、外装体１２から取出可能な状態で配置されることが好ましい。
【００４２】
図１（ｂ）に示されるように、全ての遺骨収納体１１が外装体１２に収容される際、個々の遺骨収納体１１は、他の全ての遺骨収納体１１と隣接するよう配置されることが好ましい。このとき、図３に示されるように、個々の遺骨収納体１１において、扇形の中心角部分１１４が、外装体１２（空域１２３）の水平断面視中央側を向くと共に、弧部分１１５が、外装体１２（空域１２３）の水平断面視外側を向くよう、配置されることが更に好ましい。ここで、各々の遺骨収納体１１が隣接する状態とは、複数の遺骨収納体１１同士が物理的に接触した状態を含むことはもちろん、互いの間に隙間が生じていたとしても、当該隙間が非常に僅かであるなどして、各々接触したと同視できるほど複数の遺骨収納体１１が近づいた状態を含む。
【００４３】
すなわち、全ての遺骨収納体１１は、外装体１２内で空間的に集合配置されることが好ましい。これにより、各遺骨収納体１１を要素とする遺骨収納ユニット２０が形成される。ただし、外装体１２に収容された遺骨収納体１１の配置の仕方は、これに限られるものではない。例えば、外装体１２に収容された複数の遺骨収納体１１のうちの幾つかのみが、隣接配置されるようにしてもよい。その場合、遺骨収納ユニット２０は、当該隣接配置される遺骨収納体１１のみによって形成される。
【００４４】
図３に示されるように、遺骨収納ユニット２０の水平断面視における輪郭形状は、略円形である。ただし、個々の遺骨収納体１１の形状や、集合後の各遺骨収納体１１の配置の仕方によって、遺骨収納ユニット２０の形状も適宜変化する。
【００４５】
また、図３に示されるように、本実施形態における遺骨収納ユニット２０の直径は、外装体１２の直径（より正確には、空域１２３の直径）より小さい。すなわち、遺骨収納ユニット２０と外装体１２との間に僅かながら隙間が生じている。図示していないが、例えば、供養用の草花や故人の遺品などの他の物品が、この隙間に収容されてもよい。
【００４６】
ただし、遺骨収納ユニット２０の直径と外装体１２の直径との関係は、これに限られるものではなく、双方の直径がほぼ同一となるよう設計されていてもよい。このとき、遺骨収納ユニット２０の外側面２１（個々の遺骨収納体１１の外側面でもある。）と、外装体１２の内側面１２４とが、各々接触する。すなわち、遺骨収納ユニット２０が、外装体１２の空域１２３に嵌合する状態となる。この場合、遺骨収納ユニット２０（全ての遺骨収納体１１）は、特段の係止手段を用いずに、外装体１２内で固定される。従って、このような構造の骨壺１は、生産コストの低減に寄与する。
【００４７】
上記のように、複数の遺骨収納体１１の全てが集合配置し、遺骨収納ユニット２０が形成されることによって、より少ないスペースに多くの遺骨を収納することができる。それに加えて、個々の遺骨収納体１１は、一故人（個体）の遺骨全てを収納可能である。そのため、本実施形態に係る骨壺１は、複数の故人（個体）の遺骨を収納する際、各故人（個体）の遺骨の個別収納領域（遺骨収納体１１）を確保しつつ、当該個別収納領域に納められた各遺骨の夫々を位置的に近しい状態で収納することができる。従って、一の骨壺内で複数の故人（個体）の遺骨が混在する事態を防ぐと共に、永代墓に対して生じ得る、使用者の心理的抵抗感（例えば、自身の遺骨を納めた骨壺の周囲に見ず知らずの他人の遺骨を納めた骨壺が配置されることによる、生前の故人又は遺族の心理的抵抗）を軽減することができる。
【００４８】
ただし、外装体１２内に収容される複数の遺骨収納体１１の配置形式は、上記に限られるものではない。例えば、上記のように外装体１２内の全ての遺骨収納体１１を隣接配置するのではなく、隣り合う遺骨収納体１１の間に隙間を設けるなどし、全ての遺骨収納体１１を離間させた状態で配置するようにしてもよい。
【００４９】
図１及び図３に示されるように、本実施形態に係る骨壺１は、遺骨収納体１１を４つ備えているが、遺骨収納体１１の数を増減させることで、収納可能な遺骨数を適宜調整することができる。そのため、本実施形態に係る骨壺１は、使用者毎に異なる収納遺骨数に関する希望・要望に適切に応えることができる。
【００５０】
特に、外装体１２は、本体１２１に備わる開口上部１２２及び空域１２３によって、遺骨収納体１１の収容領域を形成するという非常にシンプルな構造であると共に、遺骨収納体１１を取出可能な状態で収容するため、遺骨収納体１１の収容数の変更に対して、より柔軟に対応することができる。
【００５１】
なお、本実施形態において、外装体１２に収容する遺骨収納体１１の数を変更する手段として、収納遺骨数に応じて異なる扇中心角の遺骨収納体１１を用いる（例えば、外装体１２内の遺骨収納体１１を、扇中心角が９０°のものから扇中心角が６０°のものへ変更すれば、収納遺骨数も４から６へ変更できる。）などが考えられる。
【００５２】
ただし、各遺骨収納体１１の扇中心角を全て同じにする必要はない。例えば、扇中心角が７５°の遺骨収納体１１が２つ、扇中心角が９０°の遺骨収納体１１が１つ、扇中心角が１２０°の遺骨収納体１１が１つなどのように、異なる扇中心角の遺骨収納体１１を外装体１２に収容するようにしてもよい。これにより、故人（個体）毎に遺骨の大きさや量が大きく異なる場合であっても、一故人（個体）の遺骨を個々の遺骨収納体１１に無理なく収納することができる。その一例としては、比較的嵩のある遺骨を扇中心角の大きい遺骨収納体１１に収納するのに対し、嵩の少ない遺骨を扇中心角の小さい遺骨収納体１１に収納する、などの方法が挙げられる。
【００５３】
なお、複数の遺骨収納体１１内の少なくとも一つに、ペットの遺骨を収納してもよい。外装体１２に収容される他の遺骨収納体１１に飼い主の遺骨を収納するようにすれば、飼い主とペットの遺骨とを同じ骨壺１内に収納することが可能となる。
【００５４】
上記において、外装体１２に収容される全ての遺骨収納体１１に遺骨を収納する態様を説明した。ただし、遺骨の収納態様は、これに限られるものではない。具体的には、本実施形態のように４つの遺骨収納体１１が外装体１２に収容される場合、３つの遺骨収納体１１に遺骨を収納するのに対し、残り１つの遺骨収納体１１に供養用の物品や遺品等を収納するようにしてもよい。
【００５５】
また、例えば、４つの遺骨収納体１１を収容可能な領域が、外装体１２の空域１２３に確保されていたとしても、実際には、空域１２３内に３つのみ遺骨収納体１１を収容し、残りの空き領域に供養用の物品や遺品等を収納するようにしてもよい。本実施形態に係る骨壺１において、過度な手間を掛けることなく種々の異なる遺骨収納態様を利用できるのも、遺骨収納体１１が、取出可能な状態で外装体１２内に配置されるためである。
【００５６】
上記において、本実施形態に係る骨壺１は、主に永代墓に納められるものとして説明されている。ただし、本実施形態に係る骨壺１は、これに限られるものではなく、従来から一般的に利用されている墓（個人所有型で、家族・親族等の血縁者のみの遺骨が収納されるタイプの墓）内に納められるものであってもよい。
【００５７】
また、本実施形態に係る骨壺１において、遺骨は、遺骨収納体１１に収納される旨説明されている。ただし、遺骨収納態様は、上記に限られるものではない。例えば、一故人（個体）の遺骨のみを骨壺１内に収納したい場合、従来型の骨壺と同様に、当該遺骨を外装体１２に直接収納するようにしてもよい。このとき、遺骨収納体１１は、外装体１２に収容されていないことが好ましい。
【符号の説明】
【００５８】
１        骨壺
１１      遺骨収納体
１１１    遺骨収納体の本体
１１２    遺骨収納体の開口上部
１１３    遺骨収納体の空域
１２      外装体
１２１    外装体の本体
１２２    外装体の開口上部
１２３    外装体の空域
１２４    外装体の内側面
１３      遺骨収納体の開口上部を被覆する蓋体
１３’    外装体の開口上部を被覆する蓋体
２０      遺骨収納ユニット
２１      遺骨収納ユニットの外側面
【図１】
2018089126.tif 000003
【図２】
2018089126.tif 000004
【図３】
2018089126.tif 000005
【図４】
2018089126.tif 000006